(57)【要約】【課題】原稿画像信号をデジタル信号に変換し画像処理するために使用する周期信号抽出処理装置および画像データ処理装置を提供する。【解決手段】本発明は、基準クロック発生器１２と、基準クロック発生器１２の基準クロックをスペクトラム拡散させてスペクトラム拡散クロックを発生する周波数拡散クロック発生器１４と、スペクトラム拡散クロックの周波数スペクトルの周波数成分を抽出して時間スペクトルとして第２クロック信号を生成する抽出処理部３２とを備える周期信号抽出処理装置３０を提供する。本発明は、周期信号抽出処理装置３０を含む画像データ処理装置を提供する。本発明の周期信号抽出装置３０は、フーリエ変換／フィルタ／フーリエ逆変換を実行し、周波数を選択してフーリエ逆変換することにより基準クロックとは異なる周期のクロック信号を与え、同期電磁波ノイズおよび同期電磁波ノイズに起因する画像劣化を防止している。【選択図】  図１
2008053806.tif 000002
【特許請求の範囲】
【請求項１】
基準クロック発生器と、
前記基準クロック発生器の基準クロックをスペクトラム拡散させてスペクトラム拡散クロックを発生する周波数拡散クロック発生器と、
前記スペクトラム拡散クロックの周波数スペクトルの周波数成分を抽出して時間スペクトルとして第２クロックを生成する抽出処理部と
を備える周期信号抽出処理装置。
【請求項２】
前記抽出処理部は、前記周波数スペクトルの中心周波数または中心周波数を含む周波数帯域を抽出して前記第２クロックを生成する、請求項１に記載の周期信号抽出処理装置。
【請求項３】
前記周波数拡散クロック発生器は、位相比較器と、前記位相比較器による位相比較に対応する制御信号を発生する制御信号出力器と、前記制御信号出力器の前記制御信号により発振周波数を変える発振器とを備え、前記制御信号を周期的制御して前記基準クロックから前記スペクトラム拡散クロックを発生させる、請求項１または２に記載の周期信号抽出処理装置。
【請求項４】
前記抽出処理部は、フーリエ変換処理部と、フィルタ処理部と、フーリエ逆変換処理部とを備え、前記基準クロックを時間スペクトルから周波数スペクトルに変換し、周波数スペクトル領域でのフィルタ処理により前記第２クロックの時間スペクトルを決定する、請求項１〜３のいずれか１項に記載の周期信号抽出処理装置。
【請求項５】
前記フィルタ処理部は、フィルタした前記周波数帯域に対して重み付け処理を実行し、前記抽出処理部は、前記重み付け処理に対応した時間スペクトルの前記第２クロックを生成する、請求項１〜４のいずれか１項に記載の周期信号抽出処理装置。
【請求項６】
前記周期信号抽出処理装置は、通信インタフェースと伝送媒体とを備え、前記伝送媒体は、前記周波数拡散クロック発生器と前記抽出処理部とを接続する、請求項１〜５のいずれか１項に記載の周期信号抽出処理装置。
【請求項７】
前記基準クロックと前記第２クロックとは、同一または異なるクロック周期である、請求項１〜６のいずれか1項に記載の周期信号抽出処理装置。
【請求項８】
リニアＣＣＤと、
前記リニアＣＣＤからのアナログ画像データを処理するアナログ処理部と、
基準クロック発生器の基準クロックをスペクトラム拡散させてスペクトラム拡散クロックを発生する周波数拡散クロック発生器と、前記スペクトラム拡散クロックの周波数スペクトルの周波数成分を抽出して時間スペクトルとして第２クロックを生成する抽出処理部とを含む周期信号抽出処理装置と、
前記周期信号抽出処理装置が作成した第２クロックを伝送クロックとして前記アナログ処理部が作成したデジタル画像データを伝送する通信インタフェースと
を含む画像データ処理装置。
【請求項９】
リニアＣＣＤと、
前記リニアＣＣＤからのアナログ画像データを処理するアナログ処理部と、
基準クロック発生器の基準クロックをスペクトラム拡散させてスペクトラム拡散クロックを発生する周波数拡散クロック発生器と、前記スペクトラム拡散クロックの周波数スペクトルの周波数成分を抽出して時間スペクトルとして第２クロックを生成する抽出処理部とを含む第１周期信号抽出処理装置と、
前記第１周期信号抽出処理装置が作成したクロック信号を伝送クロックとして前記アナログ処理部が作成したデジタル画像データを伝送する通信インタフェースと、
伝送された前記デジタル画像データを受信し、第２周期信号抽出処理装置を使用して前記デジタル画像データの画像処理のためのクロック信号を取得するデジタル処理装置と、
画像処理された前記デジタル画像データを出力するプリンタ・エンジンと
を備える画像データ処理装置。
【発明の詳細な説明】
【技術分野】
【０００１】
本発明は、スペクトラム拡散クロックを使用して動作タイミングを規定する装置に関し、より詳細には原稿画像信号をデジタル信号に変換し画像処理するための周期信号抽出処理装置および画像データ処理装置に関する。
【背景技術】
【０００２】
従来より、スペクトラム拡散クロックによる動作タイミングを使用する装置が知られている。スペクトラム拡散クロックは、拡散クロックを基準クロックに重畳させ、他の周期的、または同期信号に対する識別性を高めることで、ノイズ耐性を向上させる目的で使用される。スペクトラム拡散符号化技術をクロック信号に使用することで、当該クロックに同期するデータ、より具体的にはデジタル画像データ（以下、画像データとして参照する。）のノイズ耐久性を向上させることができるものと考えられる。また、近年では、電子機器は小型化し、伝送媒体からはクロックの周波数に同期した電磁ノイズが発生する問題がある。この対策として、クロック・ジェネレータとしてＳＳＣＧ（Spread Spectrum Clock Generator）を用い、スペクトラム拡散を施したクロックを使用することで、クロックに対する電磁波のピーク強度の低減が図られている。
【０００３】
図７には、スペクトラム拡散クロックを使用した従来の画像データ処理装置を示す。図７に示した画像データ処理装置は、デジタル複写機１００として実装されている。図７に示した実施形態のデジタル複写機１００は、原稿画像を、スキャナ装置１０２のリニアＣＣＤセンサ１０４（以下、ＣＣＤとして参照する。）で読取り、アナログ画像信号をデジタル信号に変換する。その後、デジタル画像を、伝送媒体１２４を通してデジタル処理部に伝送し、デジタル画像として処理して、レーザ・プリンタなどのプリンタ・エンジンから印刷物として出力する。図７に示すデジタル複写機１００は、基準クロック発生器１１０により生成されたクロック信号であるＣＬＫ１を、周波数拡散クロック発生器１１２でスペクトラム拡散クロックＣＬＫ＿ＳＳに変調する。ＣＬＫ＿ＳＳは、その後、ＣＣＤ１０４およびアナログ信号処理部１０６を動作させルためのクロック信号として使用される。アナログ処理部１０６は、アナログ画像信号に対してサンプルホールド処理、黒レベル補正、Ａ／Ｄ変換などによりアナログ画像を量子化し、デジタル画像データを与えている。
【０００４】
ところで、周期的なタイミング・クロックであれば、規定されるタイミングも一定であることから比較的安定した動作が可能であるが、電磁波シールドや伝送媒体の小型化など同期電磁波に対応しなければならないという問題がある。これに対応するために、スペクトラム拡散を使用すると、周期性が変調されるので、タイミング・クロックのアサートおよびネゲート期間が一定ではなくなる欠点があり、これが装置の動作の不安定化や異常を生じさせる可能性がある。また、このために周知のスペクトラム拡散手法に用いられる同期捕捉回路を使用することもできるが、画像データの周波数特性との関係で、必ずしも最適な効率を与えるとはいえなかった。
【特許文献１】特開２００５−１５１２９６号公報
【発明の開示】
【発明が解決しようとする課題】
【０００５】
そこで本発明は、スペクトラム拡散クロックを使用して伝送媒体から発生する電磁波レベルを低減しつつ、スペクトラム拡散クロックを効率的にタイミング信号として提供することで、同期電磁波に対するノイズ耐久性および画像に対するノイズ耐久性を向上した、周期信号抽出装置および画像データ処理装置を提供することを目的とする。
【課題を解決するための手段】
【０００６】
本発明では上記課題を解決するために、時間スペクトルであるスペクトラム拡散クロックを周波数スペクトルに変換し、周波数スペクトルの解析により、スペクトラム拡散クロックの中心周波数、または周波数分布を取得する。そして、本発明では、その解析結果を使用して周期的な第２クロックを生成してタイミング規定信号とする。
【０００７】
本発明では、スペクトラム拡散クロックに含まれる広帯域に拡散された周波数成分を除去することで、時間的に生じる信号タイミングのずれや変動を抑制し、一定の動作タイミングを供給することができる。
【０００８】
また、本発明では、クロックの変調幅や拡散率を規定することにより、中心周波数あるいは中心周波数付近の周波数成分の抽出が可能になる。本発明では、特定の周波数成分抽出の低コスト化を図り、かつソフトウェアまたはＡＳＩＣなどとして実装可能な抽出処理部を含む周期信号抽出処理装置を提供することができる。さらに、本発明では、使用環境に適した時間スペクトル成分を有する第２クロックを容易に生成することが可能となる。さらに、本発明においては、周波数拡散法を使用することによる画像処理の同期化処理を容易にすることができ周波数拡散による印刷画像への影響を低下させることができる。
【０００９】
すなわち、本発明によれば、
基準クロック発生器と、
前記基準クロック発生器の基準クロックをスペクトラム拡散させてスペクトラム拡散クロックを発生する周波数拡散クロック発生器と、
前記スペクトラム拡散クロックの周波数スペクトルの周波数成分を抽出して時間スペクトルとして第２クロックを生成する抽出処理部と
を備える周期信号抽出処理装置が提供できる。本発明の前記抽出処理部は、前記周波数スペクトルの中心周波数または中心周波数を含む周波数帯域を抽出して前記第２クロックを生成することができる。本発明の前記周波数拡散クロック発生器は、位相比較器と、前記位相比較器による位相比較に対応する制御信号を発生する制御信号出力器と、前記制御信号出力器の前記制御信号により発信周波数を変える発振器とを備え、前記制御信号を周期的制御して前記基準クロックから前記スペクトラム拡散クロックを発生させることができる。前記抽出処理部は、フーリエ変換処理部と、フィルタ処理部と、フーリエ逆変換処理部とを備え、前記基準クロックを時間スペクトルから周波数スペクトルに変換し、周波数スペクトル領域でのフィルタ処理により前記第２クロックの時間スペクトルを決定することができる。本発明の前記フィルタ処理部は、フィルタした前記周波数帯域に対して重み付け処理を実行し、前記抽出処理部は、前記重み付け処理に対応した時間スペクトルの前記第２クロックを生成することができる。本発明では、前記周期信号抽出処理装置は、通信インタフェースと伝送媒体とを備え、前記伝送媒体は、前記周波数拡散クロック発生器と前記抽出処理部とを接続することができる。本発明の前記基準クロックと前記第２クロックとは、同一または異なるクロック周期とすることができるリニアＣＣＤと、
前記リニアＣＣＤからのアナログ画像データを処理するアナログ処理部と、
基準クロック発生器の基準クロックをスペクトラム拡散させてスペクトラム拡散クロックを発生する周波数拡散クロック発生器と、前記スペクトラム拡散クロックの周波数スペクトルの周波数成分を抽出して時間スペクトルとして第２クロックを生成する抽出処理部とを含む第１周期信号抽出処理装置と、
前記第１周期信号抽出処理装置が作成したクロック信号を伝送クロックとして前記アナログ処理部が作成したデジタル画像データを伝送する通信インタフェースと
を含む第１の画像データ処理装置と、
伝送された前記デジタル画像データを受信し、第２周期信号抽出処理装置を使用して前記デジタル画像データの画像処理のためのクロック信号を取得するデジタル処理装置と、
画像処理された前記デジタル画像データを出力するプリンタ・エンジンと
を備える画像データ処理装置。
【００１０】
本発明によれば、
リニアＣＣＤと、
前記リニアＣＣＤからのアナログ画像データを処理するアナログ処理部と、
基準クロック発生器の基準クロックをスペクトラム拡散させてスペクトラム拡散クロックを発生する周波数拡散クロック発生器と、前記スペクトラム拡散クロックの周波数スペクトルの周波数成分を抽出して時間スペクトルとして第２クロックを生成する抽出処理部とを含む周期信号抽出処理装置と、
前記周期信号抽出処理装置が作成した第２クロックを伝送クロックとして前記アナログ処理部が作成したデジタル画像データを伝送する通信インタフェースと
を含む画像データ処理装置が提供できる。
【００１１】
本発明によれば、
リニアＣＣＤと、
前記リニアＣＣＤからのアナログ画像データを処理するアナログ処理部と、
基準クロック発生器の基準クロックをスペクトラム拡散させてスペクトラム拡散クロックを発生する周波数拡散クロック発生器と、前記スペクトラム拡散クロックの周波数スペクトルの周波数成分を抽出して時間スペクトルとして第２クロックを生成する抽出処理部とを含む第１周期信号抽出処理装置と、
前記第１周期信号抽出処理装置が作成したクロック信号を伝送クロックとして前記アナログ処理部が作成したデジタル画像データを伝送する通信インタフェースと、
伝送された前記デジタル画像データを受信し、第２周期信号抽出処理装置を使用して前記デジタル画像データの画像処理のためのクロック信号を取得するデジタル処理装置と、
画像処理された前記デジタル画像データを出力するプリンタ・エンジンと
を備える画像データ処理装置が提供できる。
【発明を実施するための最良の形態】
【００１２】
図１は、本発明の周期信号抽出処理装置３０のブロック図を示す。本発明の周期信号抽出処理装置３０は、クロック・ジェネレータ１０を含んで構成されている。クロック・ジェネレータ１０は、水晶発振器などから構成される基準クロック発生器１２と、基準クロックＣＬＫ１に対してスペクトラム拡散処理を施し、スペクトラム拡散された信号であるＣＬＫ＿ＳＳを与える周波数拡散クロック発生器１４とから構成されている。なお、本発明では、クロック・ジェネレータ１０は、基準クロック発生器１２の代わりに、基準クロックＣＬＫ１を供給するクロック・バスを使用して、周波数拡散クロック発生器１４にシステム・クロックを供給することができる。
【００１３】
図１に示すように、本発明では、スペクトラム拡散クロックＣＬＫ＿ＳＳを受け取り、周波数抽出を行うためのフーリエ変換／フィルタ／フーリエ逆変換を実行する抽出処理部３２を備えている。抽出処理部３２は、ＣＬＫ＿ＳＳに対してフーリエ変換を実行し、時間スペクトルを周波数スペクトルに変換する。抽出処理部３２は、周波数スペクトルに対してフィルタリングを実行し、その後、フーリエ逆変換を施して時間スペクトル領域の信号である第２クロックＣＬＫ２を発生させる。
【００１４】
ＣＬＫ２は、ＡＳＩＣなどにおける処理クロック信号として使用でき、また、他の同期クロック信号とは同期していないので、伝送媒体から生じる同期電磁波の最大ピークの低減、およびＡＳＩＣなどの動作の安定化を両立させることが可能となる。なお、本発明では、周波数拡散クロック発生器１４と、周期信号抽出処理装置３０とは、内部バスラインを介して接続されていても良いし、パラレルまたはシリアル通信インタフェースを介してパラレル／シリアル伝送によりデータ通信されても良い。
【００１５】
図２には、本発明で使用する周波数拡散クロック発生器１４の詳細なブロック図を示す。周波数拡散クロック発生器１４は、基準クロック（以下、ＣＬＫ１として参照する。）と周波数拡散クロック（以下、ＣＬＫ＿ＳＳとして参照する。）との位相比較を行う位相比較器１６と、位相比較器１６からの出力に時間的な変動を加える制御信号出力器１８とを備えている。また、周波数拡散クロック発生器１４は、さらに電圧または電流のレベルを周波数へ変換する電圧／電流制御発振器（VCO:Voltage Controlled Oscillator）またはＩＣＯ（Intensity of Current
Control Oscillator)２０とを含んでいる。
【００１６】
制御信号出力器１８は、位相比較器１６と、電圧／電流制御発振器２０との各出力信号の位相差を取得して、位相差を制御信号出力器１８に渡し、電位／電流制御発振器２０に対して対応する周波数での発振を行わせている。制御信号出力器１８は、タイマまたは用途に応じて位相比較器１６の代わりにランプファンクション・ジェネレータ（図示せず）により、その出力を周期的に初期設定値にリセットさせるか、またはスイープすることにより、電圧／電流制御発振器２０の出力周波数を変調して、擬似ランダム符号である周波数拡散クロックＣＬＫ＿ＳＳを生成している。
【００１７】
本発明では、周波数拡散クロック発生器１４の出力であるＣＬＫ＿ＳＳから周波数スペクトル領域のデータを生成し、周波数スペクトルを抽出する、周期信号抽出処理装置３０を使用してＣＬＫ＿ＳＳから第２クロックを生成する。
【００１８】
図３は、本発明の抽出処理部３２の詳細な構成を示した図である。本発明の抽出処理部３２は、ソフトウェアまたはＡＳＩＣなどのハードウェアとして実装することができる。ソフトウェアとして実装する場合には、ＣＬＫ＿ＳＳを受信してバッファリングを行い、Ａ／Ｄコンバータなどを使用してＣＬＫ＿ＳＳを受信し、ソフトウェアによる処理に提供する。このとき、ソフトウェアとしては、種々のフーリエ変換ソフトウェアを使用することができ、高速フーリエ変換（ＦＦＴ）または離散フーリエ変換（ＤＦＴ）などを使用することができる。なお、ソフトウェア的にフーリエ変換する場合には、サンプリング数を、２の累乗（２ｎ）とすることが、無駄ないサンプリングを行うためには好ましい。また正確な再現を行うためには、ナイキストの定理（サンプリング定理）に規定されるサンプル数を超えるデータのサンプリングをすることが好ましい。
【００１９】
抽出処理部３２は、ＦＴ処理部３４を備えており、ＦＴ処理部３４は、ソフトウェア的にまたはハードウェア的な処理を使用して時間スペクトルを周波数スペクトルに変換し、ｍビットの周波数スペクトルとして出力する。周波数スペクトルに変換された信号は、周波数成分に対応したフィルタ処理部３６に入力され、使用する周波数成分が抽出され、フィルタリング、の他、重み付け処理、例えば、増幅（ウェイト・ファクタ乗算）、除去、減衰、透過、生成などの処理の後、矩形波、方形波、鋸波、正弦波、余弦波などに対応する周波数成分に変調される。
【００２０】
また、抽出・変調された周波数スペクトルは、ＩＦＴ（フーリエ逆変換）処理部３８に入力されて時間スペクトルに変換され、所定の周期および波形のクロック信号を与える。
【００２１】
図４は、本発明の抽出処理部３２が実行する処理のフローチャートを示す。なお、図４に示した抽出処理は、ＤＦＴなどを使用してソフトウェア的に実行することもできるし、また等価な半導体素子を集積したＡＳＩＣなどを使用して実装することができる。抽出処理は、ステップＳ１００から開始し、ステップＳ１０１でデータ取り込みを実行し、Ａ／Ｄ変換を行って、ステップＳ１０２で信号をサンプリングし、ＦＦＴ／ＤＦＴなどを使用する場合には、データ数２ｎとしてサンプリングを行う。
【００２２】
ステップＳ１０３では、サンプリングしたデータに対してフーリエ変換処理を適用し、時間スペクトルを周波数スペクトルに変換する。ステップＳ１０４では、周波数スペクトルに対して増幅、除去、減衰、透過、生成の各フィルタリング処理を行う。ステップＳ１０５では、フーリエ逆変換を適用して、フィルタリングした周波数スペクトルを時間スペクトルに変換し、ステップＳ１０６でデータ出力を行い、第２クロック信号としてＣＬＫ２を生成し、ステップＳ１０７で処理を終了する。
【００２３】
また、本発明では、中心周波数のみ、または、中心周波数付近の周波数成分の抽出方法を切換える実施形態も可能である。図５は、周波数スペクトルを時間スペクトルに変換する場合に、中心周波数のスペクトルが、所定のパルス波形を有するように、各周波数成分に対して重み付け処理を実行し、フーリエ逆変換処理を施して所望するパルス波形を与える実施形態である。図５に示した実施形態では、スペクトラム拡散クロックから抽出する第２クロック信号ＣＬＫ２のパルス形態を、フーリエ逆変換によって得られる周期的なクロック波形を正弦波、方形波、三角波、鋸波などに切換え、適切なクロック信号を生成することが可能となる。
【００２４】
図５に示した抽出処理は、ステップＳ２００から開始し、ステップＳ２０１でデータ取り込みを実行し、Ａ／Ｄ変換を行って、ステップＳ２０２で信号をサンプリングし、ＦＦＴ／ＤＦＴなどを使用する場合には、データ数２ｎとしてサンプリングを行う。
【００２５】
ステップＳ２０３では、サンプリングしたデータに対してフーリエ変換処理を適用し、時間スペクトルを周波数スペクトルに変換する。ステップＳ２０４では、適切な中心周波数を、フィルタリング処理を適用して抽出し、ステップＳ２０５で正弦波、三角波、矩形波、鋸歯などのパルス波形を与えるように、周波数スペクトルに重み付け処理を実行する。この切換処理は、抽出処理部３２をソフトウェア的に構成する場合には、ユーザ指令に基づいて処理オブジェクトを切換える処理とすることができる。また、ハードウェア的には、フィルタ処理ハードウェアをユーザ指令またはディップ・スイッチの切換で行うことができる。その後、ステップＳ２０６でフーリエ逆変換処理を適用し、ステップＳ２０７でデータ出力を行い、要求されるパルス波形のクロック信号としてＣＬＫ２を生成し、ステップＳ２０８で処理を終了する。
【００２６】
本発明では、上述した処理を適用する周期信号抽出処理装置を使用してスペクトラム拡散クロックから第２クロック信号ＣＬＫ２を生成し、第２クロック信号を使用して、外付け処理装置を駆動させる。以下、さらに本発明周期信号抽出処理装置３０を含むデータ伝送を使用する装置の実施形態を詳細に説明する。
【００２７】
図６は、本発明の画像データ処理装置を画像形成装置として実装した場合の実施形態を示す。図６に示す画像形成装置５０は、スキャナ装置５２と、デジタル処理装置５４と、プリンタ・エンジン７６とを含んで構成されている。スキャナ装置５２は、基準クロック発生器１２からのＣＬＫ１を使用して周波数拡散クロック発生器１４でＣＬＫ＿ＳＳを生成し、ＣＬＫ＿ＳＳを、周期信号抽出処理部６０で生成してＣＬＫ２を生成する。生成されたＣＬＫ２は、ＣＣＤ５６、アナログ処理部５８、バッファ６２の駆動クロックとして使用される。アナログ信号処理部５８は、アナログ画像信号に対してサンプルホールド処理、黒レベル補正、Ａ／Ｄ変換などの各種画像処理を施したのち、１０ビットのデジタル画像データ変換している。
【００２８】
デジタル画像データは、ＬＶＤＳ(Low
Voltage Difference Signaling)など適切なインタフェースを介してデジタル処理装置５４へと、伝送媒体７８を介して送られる。なお、伝送媒体７８は、シリアルまたはパラレル伝送を使用した、同期または非同期の全２重通信などのプロトコルで行うことができる。周波数拡散クロック発生器１４で生成されたＣＬＫ＿ＳＳは、バッファ６２の読出しクロックおよびＬＶＤＳなどの通信インタフェース６４の送信クロックとして使用され、伝送媒体７８を介してデジタル処理装置５４へと伝送される。図６に示した実施形態では、スキャナ装置５２内部の動作クロックは、基準クロック発生器１２などにより与えられる基準クロックとは異なるものとされ、スキャナ装置５２内部での同期電磁波ノイズに対する耐久性を付与することが可能となる。
【００２９】
一方、デジタル処理装置５４は、ＬＶＤＳインタフェースなどの通信インタフェース６６を備えており、受信したデータを書込クロックとしてＣＬＫ＿ＳＳを使用し、書込を実行する。一方、ＣＬＫ＿ＳＳは、周期信号抽出処理部７２により生成されてＣＬＫ＿ＳＳからＣＬＫ２′が得られる。ＣＬＫ２′は、バッファ６８の読み出しクロックとして使用されると同時に画像処理部７０を駆動して、スキャナ装置５２から受信したデジタル画像データをデジタル画像処理する。デジタル画像処理が終了した後のデジタル画像データは、ＩＥＥＥ１２９４やＵＳＢ(Universal Serial Buss)などのＩ／Ｆ７４を介してプリンタ・エンジン７６へと出力される。プリンタ・エンジン７６は、半導体レーザ、ポリゴン・ミラー、感光体、定着装置などを駆動制御して、印刷物が与えられる。なお、周期信号抽出処理部７２の設定または特定の用途に応じて、ＣＬＫ２およびＣＬＫ２′は、同一でも異なっていても良く、または、ＣＬＫ１と同一とすることもできる。ＣＬＫ２およびＣＬＫ２′が同一の場合には、周期信号抽出処理部６０は、周期信号抽出処理部７２と同一の構成とされ、ＣＬＫ２とＣＬＫ２′とを異なる値とする場合には、それぞれの周期信号抽出処理部６０および周期信号抽出処理部７２の各フィルタ処理部を異なる構成とする。
【００３０】
以上説明したように、本発明によれば、スペクトラム拡散クロックを使用して伝送媒体から発生する電磁波レベルを低減しつつ、スペクトラム拡散クロックを効率的にタイミング信号として提供する、周期信号処理装置およびデータ処理装置を提供することができる。
【図面の簡単な説明】
【００３１】
【図１】本発明の周期信号抽出処理部の実施形態を示した図。
【図２】本発明の周期信号抽出処理部の周波数拡散クロック発生器の実施形態を示した図。
【図３】本発明の抽出処理部のブロック図。
【図４】本発明の抽出処理の第１の実施形態を示した図。
【図５】本発明の抽出処理の第２の実施形態を示した図。
【図６】本発明の画像データ処理装置の第２の実施形態を示した図。
【図７】従来の画像データ処理装置を示した図。
【符号の説明】
【００３２】
１０…クロック・ジェネレータ、１２…基準クロック発生器、１４…周波数拡散クロック発生器、１６…位相比較器、１８…制御信号出力器、２０…電圧／電流制御発振器、３０…周期信号抽出処理装置、３２…抽出処理部、３４…ＦＴ処理部、３６…フィルタ処理部、３８…ＩＦＴ処理部、５０…画像データ処理装置、５２…スキャナ装置、５４…デジタル処理装置、５６…ＣＣＤ、５８…アナログ処理部、６０…周期信号抽出処理部、６２…バッファ、６４…通信インタフェース、６６…通信インタフェース、６８…バッファ、７０…画像処理部、７２…周期信号抽出処理部、７４…Ｉ／Ｆ、７６…プリンタ・エンジン、７８…伝送媒体、１００…デジタル複写機、１０２…スキャナ装置、１０４…ＣＣＤ、１０６…アナログ処理部、１０８…通信インタフェース、１１０…基準クロック発生器、１１２…周波数拡散クロック発生器、１１４…デジタル処理装置、１１６…通信インタフェース、１１８…画像処理部、１２０…Ｉ／Ｆ、１２２…プリンタ・エンジン、１２４…伝送媒体
【図１】
2008053806.tif 000003
【図２】
2008053806.tif 000004
【図３】
2008053806.tif 000005
【図４】
2008053806.tif 000006
【図５】
2008053806.tif 000007
【図６】
2008053806.tif 000008
【図７】
2008053806.tif 000009